(57)【要約】【課題】実物のろうそくの炎の形状に近い光像が得られ、しかも、多様の形態で使用することができる電飾器を提供すること。【解決手段】発光部を収容した筒状のハウジングの一端部に、前記発光部からの光を一端から入射するための柱状部と、前記柱状部の他端に連設されて光を出射するための尖頭状部とを備え、前記尖頭状部の表面に光拡散部が形成されてなるレンズの一端を設置するとともに、前記ハウジングの他端部に、電力供給用ソケットに装着させるための口金を配設したことを特徴とする。【選択図】図２
0003146124.tif 000002
【実用新案登録請求の範囲】
【請求項１】
発光部を収容した筒状のハウジングの一端部に、前記発光部からの光を一端から入射するための柱状部と、前記柱状部の他端に連設されて光を出射するための尖頭状部とを備え、前記尖頭状部の表面に光拡散部が形成されてなるレンズの一端を設置するとともに、前記ハウジングの他端部に、電力供給用ソケットに装着させるための口金を配設したことを特徴とする電飾器。
【請求項２】
前記レンズの柱状部は円柱形であり、前記尖頭状部は円錐形であることを特徴とする請求項１に記載の電飾器。
【請求項３】
前記レンズの少なくとも外周を取り囲み光を外部に拡散又は透過させるカバー部を備えることを特徴とする請求項２に記載の電飾器。
【請求項４】
前記口金は、ねじ込み式の口金であることを特徴とする請求項１〜３のいずれか一項にに記載の電飾器。
【請求項５】
前記発光部は、３個以上の発光素子を含んで構成され、一のモードでは、前記３個以上の発光素子の中の少なくとも２個の発光素子が、点灯制御信号生成部によって生成された別々の点灯制御信号によって互いに異なる周期で明暗を繰返すように発光制御され、残りの発光素子の中の少なくとも1個の発光素子が、点灯制御信号生成部によって生成され前記別々の点灯制御信号を所定間隔で交互に切り替えた形の点灯制御信号によって発光制御されることを特徴とする請求項１〜４のいずれか一項に記載の電飾器。
【請求項６】
前記発光部を制御するコントローラを外部に備えたことを特徴とする請求項１〜５のいずれか一項に記載の電飾器。
【考案の詳細な説明】
【技術分野】
【０００１】
本考案は、電飾器に関するもので。詳しくは、ろうそくの炎をイメージさせる電飾器に関するものである。
【背景技術】
【０００２】
従来、ろうそくの炎をイメージさせる電飾器として、複数の発光素子を基板の上に取り付けるとともに、基板上の発光素子を、光を外部に拡散又は透過させる第１のカバーで覆い、さらに、第１のカバーを、光を外部に拡散又は透過させる第２のカバーで覆ったものが知られている（例えば、特許文献１）。このように構成された発光素子は、電源が印加されると、個々の周期でそれぞれ明暗を変化させながら点灯する。そして、それらのあかりが重なり合って、第１のカバー及び第２のカバーで光が拡散又は透過されて外部へ放射される。それによって、発光素子の光を第２のカバーの外から見るとろうそくの炎に近いあかりが実現される。
【特許文献１】特開２００４−７１３７６号公報
【考案の開示】
【考案が解決しようとする課題】
【０００３】
しかしながら、上記特許文献１に記載の電飾器では、発光素子をドーム状の第１のカバーで覆っているだけなので、外部から視認できる光像は卵形に近く、ろうそくの炎の形状を表現するには十分ではなかった。なぜなら、ろうそくの炎の形状は炎の基端が丸く、先端が尖っているのに対して、上記特許文献１に記載の電飾器では、光像は上下とも丸くなっているからである。
【０００４】
また、上記特許文献１に記載の電飾器は、発光部，第１のカバー，第２のカバー等が基台に設置され、いわゆる、置物としてしか使用できない。
【０００５】
本考案の目的は、かかる問題点を解決するためになされたもので、実物のろうそくの炎の形状に近い光像が得られ、しかも、多様の形態で使用することができる電飾器を提供することにある。
【課題を解決するための手段】
【０００６】
請求項１の電飾器は、発光部を収容した筒状のハウジングの一端部に、前記発光部からの光を一端から入射するための柱状部と、前記柱状部の他端に連設されて光を出射するための尖頭状部とを備え、前記尖頭状部の表面に光拡散部が形成されてなるレンズの一端を設置するとともに、前記ハウジングの他端部に、電力供給用ソケットに装着させるための口金を配設したことを特徴とする。
【０００７】
請求項２の電飾器は、請求項１に記載の考案において、前記レンズの柱状部は円柱形であり、前記尖頭状部は円錐形であることを特徴とする。
【０００８】
請求項３の電飾器は、請求項２に記載の考案において、前記レンズの少なくとも外周を取り囲み光を外部に拡散又は透過させるカバー部を備えることを特徴とする。
【０００９】
請求項４の電飾器は、請求項１〜３のいずれかに記載の考案において、前記口金は、ねじ込み式の口金であることを特徴とする。
【００１０】
請求項５の電飾器は、請求項１〜４のいずれかに記載の考案において、前記発光部は、３個以上の発光素子を含んで構成され、一のモードでは、前記３個以上の発光素子の中の少なくとも２個の発光素子が、点灯制御信号生成部によって生成された別々の点灯制御信号によって互いに異なる周期で明暗を繰返すように発光制御され、残りの発光素子の中の少なくとも1個の発光素子が、点灯制御信号生成部によって生成され前記別々の点灯制御信号を所定間隔で交互に切り替えた形の点灯制御信号によって発光制御されることを特徴とする。
【００１１】
請求項６の電飾器は、請求項１〜５のいずれかに記載の考案において、前記発光部を制御するコントローラを外部に備えたことを特徴とする。
【考案の効果】
【００１２】
請求項１から６の考案によれば、発光素子を覆うカバーケースが、表面に光拡散部が形成された尖頭状部を備えているので、この尖頭状部によって基端側で丸く先端側で尖った光像が得られ、実物のろうそくの炎により近い形の光像が得られる。
【００１３】
請求項４の考案によれば、家庭電力供給用ソケット等に装着させることができる口金を備えているので、例えば、卓上電気スタンド，天井等に設置するなどして、多様の形態で使用することができる。
【００１４】
請求項５の考案によれば、一のモードでは、別々の点灯制御信号によって発光制御される発光素子によって形成される光像に、別々の点灯制御信号を所定の時間間隔で順次に切り替えて生成される点灯制御信号によって発光制御される発光素子によって形成される光像が加わるので、全体としての光像が大きく伸縮することとなり、実物のろうそくの炎の揺らぎ及び瞬きの様を表現することができる。
【００１５】
請求項６の考案によれば、遠隔操作をすることができるので、例えば、天井等の離れた場所へ配置することもできる。
【考案を実施するための最良の形態】
【００１６】
以下に、本考案に係る電飾器を図面に基づいて説明する。
図１は、本考案に係る電飾器を示した斜視図、図２は、図１に示した電飾器の分解斜視図、図３は、図１に示した電飾器の断面図である。
【００１７】
本考案の実施形態に係る電飾器１では、円筒形ハウジング２に付設された操作子３を左右に動作させることによって、消灯モード、ろうそくモード及び全灯モードを選択的に切り替えることができる。そして、ハウジング２の上に着脱自在に付設されたカバー部４には、ろうそくモード及び全灯モードのときにはそれぞれ所定の光像が映しだされる。具体的には、ろうそくモードのときには、カバー部４にはそうそくの炎のように瞬き及び揺らぎのある光像が映し出され、全灯モードのときにはろうそくの炎のような形状はしているが瞬き及び揺らぎの少ない光像が映し出される。
以下、この電飾器１の詳細を説明する。
【００１８】
ハウジング２の内部には基板１１，１２，１３が設置されている。これらの基板１１，１２，１３は、フレキシブルフラットケーブル１４，１５によって接続されている。そして、この基板１１，１２，１３に発光装置２０が搭載されている。
【００１９】
発光装置２０は図４及び図５に示されている。この発光装置２０は、電源回路２０ａと、受信回路２０ｂと、制御回路２０ｃと、発光回路２０ｄとを備えている。
このうち発光回路２０ｄには、特に限定されないが、３個の発光素子（ＬＥＤ）Ａ，Ｂ，Ｃが含まれている。なお、３個の発光素子（ＬＥＤ）Ａ，Ｂ，Ｃは、特に限定されないが、チップタイプのものであり、その３個の発光素子Ａ，Ｂ，Ｃの発光色は、例えば、白色となっている。なお、この発光回路２０ｄは基板１１上に構成されている。
電源回路２０ａは、変圧回路と、交流／直流変換回路と、整流回路とを含んで構成されている。そして、この電源回路２０ａによって生成された所定の電圧（Ｖｃｃ）が後段の各回路に印可されるようになっている。この電源回路２０ａは基板１３上に構成されている。
受信回路２０ｂは、外部のコントローラ２７ｂからのモード切替信号を受信するためのものであり、フォトダイオード２０ｂ−１を含んで構成されている。この受信回路２０ｂは基板１２上に形成されている。
制御回路２０ｃは基準信号のデューティを変化させて発光素子Ａ，Ｂの点灯制御信号を生成するとともに、切り替え信号に基づいて駆動切り替えを行って発光素子Ｃの点灯制御信号を生成するものである。この制御回路２０ｃも基板１２上に形成されている。
【００２０】
また、ハウジング２の上面にはレンズ立て５が設置されている。レンズ立て５はレンズ６を起立させるためのものである。このレンズ立て５は円筒状を呈している。レンズ立て５の開口径は、３個の発光素子Ａ，Ｂ，Ｃを取り囲むことができる大きさとなっている。
ここで、レンズ立て５は全体が遮光性を有し、３個の発光素子Ａ，Ｂ，Ｃが外部から直接視認できないような構成となっている。なお、レンズ立て５の一部だけ遮光性を有する構成としてもよい。必要なのは、３個の発光素子Ａ，Ｂ，Ｃからの光が直接に外部にもれるのを防止することである。
【００２１】
レンズ６は、特に限定はされないが、アクリル樹脂又はガラスによって形成されている。このレンズ６はろうそくの炎の形状に似せた光像を形成するためのもので、柱状部６ａ及び尖頭状部６ｂを備えている。
【００２２】
レンズ６の柱状部６ａは円柱状に形成されている。この柱状部６ａは、特に限定はされないが、無色透明となっている。この柱状部６ａの下端が上記レンズ立て５の開口に差し込まれることによって、レンズ６はレンズ立て５に保持される。
【００２３】
一方、レンズ６の尖頭状部６ｂは、特に限定はされないが、円錐状に形成されている。そして、この尖頭状部６ｂの外周面は光拡散面となっている。尖頭状部６ｂの外周面を光拡散面とする手法としては、例えば、サンドブラスト法によって尖頭状部６ｂの外周面に凹凸を形成する方法や、ヤスリで削ることによって尖頭状部６ｂの外周面に筋状の凹凸を形成する方法や、光拡散フィルムを尖頭状部６ｂの外周面に貼る方法などが挙げられる。
また、尖頭状部６ｂは、特に限定はされないが、染料などによって色付けされている。
なお、尖頭状部６ｂの先端は尖っていてもよいが、多少丸まっているか、平らな部分があってもよい。例えば、平らな部分があれば、そこから光が上方に向けて抜けるので光像の高さが大きくなる。
【００２４】
カバー部４は、ハウジング２の上面と、レンズ立て５に保持されたレンズ６とを覆うものである。このカバー部４は、コップを逆さまにした形状を呈している。このカバー部４の表面はスリガラス状で半透明となっている。
なお、カバー部４はレンズ６の外周を取り囲むものであればよい。また、カバー部４は和紙などから構成されていてもよい。さらに、カバー部４を設けずに、投影レンズを通して光像を壁やスクリーンに投影するように構成してもよい。
【００２５】
ハウジング２の下端には、口金７が固設されている。この口金７のシェル７ａ，アイレット７ｂには、基板１１の端子１１ａ，１１ｂが接続される。そして、この口金７は、ねじ込み式の口金であり、家庭電源等に接続された電力供給用ソケット８に螺着される。
【００２６】
次に、図５に基づいて発光装置２０の主要部を説明する。
発光装置２０の制御回路２０ｃは、基準信号発生部２１と、第１デューティ信号生成部２２ａと、第２デューティ信号生成部２２ｂと、受信回路２０ｂと、デューティ制御部２３と、切り替え信号発生部２４と、駆動切り替え部２５とを含んで構成されている。また、発光回路２０ｄは、３個の発光素子（ＬＥＤ）Ａ，Ｂ，Ｃと、点灯ドライバ２６とを含んで構成されている。
この発光装置２０の主要部の各部の働きを、ろうそくモードにある場合を中心に説明する。
【００２７】
基準信号発生部２１は、３個の発光素子Ａ，Ｂ，Ｃを駆動するための基準信号を生成するためのものである。この基準信号としては、特に限定はされないが、８．２５Ｈｚの方形波の信号が生成される。
【００２８】
第１デューティ信号生成部（点灯信号生成部）２２ａは、主に、上記基準信号に基づいて発光ダイオードＡの点灯制御信号を生成するためのものである。また、第２デューティ生成部（点灯信号生成部）２２ｂは、主に、上記基準信号に基づいて発光ダイオードＢの点灯制御信号を生成するためのものである。
ここに、第１デューティ信号生成部２２ａ及び第２デューティ信号生成部２２ｂは、基準信号発生部２１からの基準信号のデューティを特に限定しないが図５に示す９８．７％〜６％の間で周期的に変化させて、正弦波又は三角波の如く明暗を繰返すように発光素子Ａ，Ｂを発光させるためのものである。ろうそくモードにおいて、発光ダイオードＡ，Ｂは、デューティが図６に示す９８．７％のときが最大の明るさのとき、デューティが図７に示す６％のときが最小の明るさのときである。ただし、第１デューティ信号生成部２２ａから出力される点灯制御信号と第２デューティ信号生成部２２ｂから出力される点灯制御信号とでは、デューティの変化の周期が異なっている。特に限定はされないが、第１デューティ信号生成部２２ａから出力される点灯制御信号ではデューティの変化の周期が０．１４Ｈｚ、第２デューティ信号生成部２２ｂから出力される点灯制御信号の周期は０．２２Ｈｚとなっている。
【００２９】
受信回路２０ｂは、コントローラ２７ｂからの制御信号をフォトダイオード２０ｂ−１を通して受信するものである。
【００３０】
デューティ制御部２３は、受信回路２０ｂからの信号や操作子３の操作によるモード切り替えスイッチからの信号によって、第１デューティ信号生成部２２ａ及び第２デューティ信号生成部２２ｂの制御を行う。例えば、デューティ制御部２３は、特に限定はされないが、コントローラ２７ｂのボタンを押すごとに３つのモードが順次に変化（例えば消灯モードにあるときには消灯モード→ろうそくモード→全灯モードと変化）するように第１デューティ信号生成部２２ａ及び第２デューティ信号生成部２２ｂの制御を行う。なお、コントローラ２７ｂによる点灯制御が行われた後に、モード切り替えスイッチが操作された場合には、モード切り替えスイッチのモードに従う。
【００３１】
切り替え信号発生部２４は、発光素子Ｃの駆動切り替えを行うためのタイミング信号を生成するためのものである。このタイミング信号としては、特に限定はされないが、図９に示す２．８５Ｈｚの方形波の信号が生成される。
【００３２】
駆動切り替え部（点灯信号生成部）２５は、第１デューティ信号生成部２２ａ及び第２デューティ信号生成部２２ｂの点灯制御信号に基づき発光素子Ｃの点灯制御信号を生成するためのものである。具体的には、駆動切り替え部２５は、切り替え信号発生部２４からの駆動切り替えタイミング信号のハイ、ローの切り替えタイミングで、第１デューティ信号生成部２２ａから出力される点灯制御信号と第２デューティ信号生成部２２ｂから出力される点灯制御信号とを交互に切り替えてなる点灯制御信号を生成する。
【００３３】
点灯ドライバ２６は、点灯制御信号を反転させて発光素子Ａ，Ｂ，Ｃに供与する。
以上によって、発光ダイオードＡ，Ｂ，Ｃの発光は図９（Ａ），(Ｂ)，（Ｃ）のように制御される。
なお、以上では、ろうそくモードにある場合の発光装置２０の主要部の各部の働きを説明したが、全灯モードにある場合には、例えば、第１デューティ信号生成部２２ａ及び第２デューティ信号生成部２２ｂは、基準信号発生部２１からの基準信号のデューティを特に限定はされないが図５に示す９８．７％に固定させて点灯ドライバ２６に供与する。
【００３４】
次に、本考案の実施形態に係るレンズ６の作用及び効果を説明する。
先ず、発光素子を定電流で発光させた場合にカバー部４に投影される光像を見てみる。
図１０には、円柱状で上面を丸めた乳白色のレンズ４０で発光素子を覆った場合のカバー部４１（形状だけが上記実施形態のカバー部４と異なる。）に投影される光像が模式的に示されている。この場合には、カバー部４１に投影される光像は卵形状に近いものとなる。即ち、光像は上下とも丸まった形状となる。
【００３５】
図１１には、円柱状で上面が平らなレンズ５０の上部外周面を拡散面とした場合のカバー部４（上記実施形態のカバー部と同じなので同一符号を使用する。）に投影される光像が模式的に示されている。この場合には、光像は円柱状の形状となる。
【００３６】
図１１には、上記実施形態に係るレンズ６を使用した場合の上記カバー部４に投影される光像が模式的に示されている。この場合には、光像は下側が丸く上側が尖った形状となる。実際のろうそくの炎は雫形状であり、この図１２のレンズ６を使用した場合の光像に近いものである。なお、ちなみに、尖頭状部６ｂを図１２の場合よりも短くした場合には、光像の高さが小さくなる。あまり小さくなると横方向の寸法に対して高さ方向の寸法が足りなくなってろうそくの炎の形状とかけ離れるので、柱状部６ａの２倍以上とすることが好ましい。
【００３７】
次に、本考案の実施形態に係る電飾器１の作用及び効果を説明する。
電飾器１によれば、互いに異なる周期で明暗を繰返す２個の発光素子Ａ，Ｂの組み合わせによって生成される光像の揺らぎの上に、２個の発光素子Ａ，Ｂの発光状態を交互に取る発光素子Ｃの光像の揺らぎが加わるので、全体としての構造は上下方向に大きく伸縮することになるとともに、明るさも大きく変化する。
この様子が図１３に模式的に示されている。その結果、ろうそくの炎が小さくなり一瞬消えかかった後、また、勢いよく燃え盛る様子が表現できることになる。
【００３８】
以上、本考案の実施形態について説明したが、本考案は、上記実施形態に限定されるものではなく、その要旨を逸脱しない範囲で種々変形可能であることはいうまでもない。
例えば、上記実施形態では、円柱状の柱状部に円錐状の尖頭状部を設けているが、角錐状の柱状部に角錐状の尖頭状部を設けてもよいことは勿論である。
また、柱状部の長さ方向に直交する断面と尖頭状部の同一方向断面とは互いに同一又は相似の形となっているが、互いに異なっていてもよい。
さらに、柱状部の外周面と尖頭状部の外周面とが連続している場合について説明したが、柱状部と尖頭状部との境界部分に段差が形成されていてもよい。
【００３９】
上記実施形態の電飾器１は、例えば、図１４に示すように、スタンド３０に配設したソケット８に装着させて使用される。
【００４０】
また、本考案の電飾器１は、赤外線通信リモコン２７ｂのみならず、図１５に示すように、電波通信リモコン２７ａによって、消灯モード、ろうそくモード及び全灯モードの切り替えが遠隔操作されるものであってもよい。これらの遠隔操作機構は、公知の操作回路によって達成される。
【００４１】
また、遠隔操作の電飾器１によれば、天井３１等の手の届かない箇所に設置したソケット８に装着させて使用することが容易であるが、操作子３のみで操作してもよい。
【図面の簡単な説明】
【００４２】
【図１】本考案に係る電飾器を示した斜視図である。
【図２】図１に示した電飾器の分解斜視図である。
【図３】図１に示した電飾器の断面図である。
【図４】図１に示した電飾器の発光装置の構成を示すブロック図である。
【図５】図１に示した電飾器の発光装置の構成を示すブロック図である。
【図６】図１に示した電飾器のＬＥＤ点灯制御波形を示した図である。
【図７】図１に示した電飾器のＬＥＤ点灯制御波形を示した図である。
【図８】駆動切り替え波形を示した図である。
【図９】発光ダイオードＡ，Ｂ，Ｃの発光の制御波形を示した図である。
【図１０】比較例の構成及び光像を示した模式図である。
【図１１】比較例の構成及び光像を示した模式図である。
【図１２】実施形態に係るレンズ及び光像を示した模式図である。
【図１３】実施形態に係るレンズ及び光像変化を示した模式図である。
【図１４】実施形態の装飾器の使用形態を示した斜視図である。
【図１５】本考案に係る電飾器の他の実施形態を示した斜視図である。
【符号の説明】
【００４３】
１    電飾器
２    ハウジング
３    操作子
４    カバー部
５    レンズ立て
６    レンズ
６ａ    柱状部
６ｂ    尖頭状部
７    口金
７ａ    シェル
７ｂ    アイレット
８    ソケット
【図１】
0003146124.tif 000003
【図２】
0003146124.tif 000004
【図３】
0003146124.tif 000005
【図４】
0003146124.tif 000006
【図５】
0003146124.tif 000007
【図６】
0003146124.tif 000008
【図７】
0003146124.tif 000009
【図８】
0003146124.tif 000010
【図９】
0003146124.tif 000011
【図１０】
0003146124.tif 000012
【図１１】
0003146124.tif 000013
【図１２】
0003146124.tif 000014
【図１３】
0003146124.tif 000015
【図１４】
0003146124.tif 000016
【図１５】
0003146124.tif 000017